(57)【要約】【課題】充電中の可搬型電源装置の設置場所を定めることができ、多数の可搬型電源装置の充電を容易に行うことができる可搬型電源装置の収納庫を提供すること。【解決手段】収納庫１には、複数の電源装置２を収納する収納部４と、外部から入力された交流電流を直流電流に変換する複数の充電器９と、各電源装置２の充電コネクタに各充電器９にて変換された直流電流を入力可能な複数の接続コネクタ１０と、充電コネクタが接続コネクタ１０に接続されるように電源装置２を案内する案内手段５と、を有し、複数の充電器９は、各充電器９に対応して接続された各電源装置２の充電を行うようになっている。【選択図】図１
2009201276.tif 000002
【特許請求の範囲】
【請求項１】
外部から直流電流を入力可能な充電コネクタと、該充電コネクタから入力された直流電流が充電される二次電池と、該二次電池から出力された直流電流を交流電流に変換するインバータと、該インバータから出力された交流電流を外部機器に出力可能な出力コネクタと、前記充電コネクタと前記二次電池と前記インバータと前記出力コネクタとを一体的に収めた筐体と、を備える可搬型電源装置を収納する収納庫であって、
前記収納庫には、複数の前記電源装置を収納する収納部と、外部から入力された交流電流を直流電流に変換する複数の充電器と、前記各電源装置の充電コネクタに前記各充電器にて変換された直流電流を入力可能な複数の接続コネクタと、前記充電コネクタが前記接続コネクタに接続されるように前記電源装置を案内する案内手段と、を有し、
前記複数の充電器は、該各充電器に対応して接続された各電源装置の充電を行うようになっていることを特徴とする可搬型電源装置の収納庫。
【請求項２】
外部から直流電流を入力可能な充電コネクタと、該充電コネクタから入力された直流電流が充電される二次電池と、該二次電池から出力された直流電流を交流電流に変換するインバータと、該インバータから出力された交流電流を外部機器に出力可能な出力コネクタと、前記充電コネクタと前記二次電池と前記インバータと前記出力コネクタとを一体的に収めた筐体と、を備える可搬型電源装置を収納する収納庫であって、
前記収納庫には、複数の前記電源装置を収納する収納部と、外部から入力された交流電流を直流電流に変換する充電器と、前記各電源装置の充電コネクタに前記充電器にて変換された直流電流を入力可能な複数の接続コネクタと、前記充電コネクタが前記接続コネクタに接続されるように前記電源装置を案内する案内手段と、前記各接続コネクタと前記充電器との接続状態を制御する接続制御手段と、を有し、
前記接続制御手段は、前記充電器の接続状態を少なくとも１つの接続コネクタ毎に切り換えるようになっており、前記充電器は、少なくとも１つの電源装置の充電を完了した後に、他の電源装置の充電を開始することを特徴とする可搬型電源装置の収納庫。
【請求項３】
前記複数の電源装置の電力容量を検知する容量検知手段を備え、
前記接続制御手段は、前記容量検知手段からの検知情報に基づいて、充電が完了していない電源装置の内、電力容量が最も多い電源装置から順に充電を開始することを特徴とする請求項２に記載の可搬型電源装置の収納庫。
【請求項４】
前記電源装置は、前記二次電池を前記充電コネクタまたは前記インバータのいずれか一方に切り換えて接続する切換接続手段と、該電源装置が前記収納部から取り出されたときに、前記切換接続手段を切り換えて前記二次電池を前記出力コネクタ側に接続する出力切換手段と、を備えることを特徴とする請求項１ないし３のいずれかに記載の可搬型電源装置の収納庫。
【請求項５】
前記電源装置は、前記二次電池の電力容量を検知して表示する容量表示部と、前記電源装置が前記収納部に収納されたときに、前記容量表示部を作動させる収納時表示スイッチと、を備えることを特徴とする請求項１ないし４のいずれかに記載の可搬型電源装置の収納庫。
【請求項６】
前記接続コネクタに向かって傾斜する棚板を有しており、該棚板に載置された電源装置が前記接続コネクタに向かって摺動移動されて前記充電コネクタが前記接続コネクタに接続されるようになっていることを特徴とする請求項１ないし５のいずれかに記載の可搬型電源装置の収納庫。
【発明の詳細な説明】
【技術分野】
【０００１】
本発明は、任意の使用場所まで持ち上げて移動させることができる可搬型電源装置を収納する収納庫に関する。
【背景技術】
【０００２】
従来、持ち運びができる可搬型電源装置として、充電用シガライターのアダプタを用いることで、車内のシガライターから電力を供給されて充電される車載用の可搬型電源装置がある。この可搬型電源装置には、車内のシガライターにより充電する方法の他に、家庭の電灯線（コンセント）よりＡＣ／ＤＣコンバータのアダプタにより充電する方法、または、ソーラバッテリーより充電する方法がある（例えば、特許文献１参照）。
【０００３】
【特許文献１】特開２００３−９２８３７号公報（第４頁、第４図）
【発明の開示】
【発明が解決しようとする課題】
【０００４】
特許文献１に記載の可搬型電源装置は、交流電流を出力することで様々な一般的な電気機器（外部機器）に対して電力を供給することができ、多目的な可搬型電源装置として使用できるため便利である。近年、オフィス等において、多数の可搬型電源装置を使用したいという要望がある。しかしながら、複数の可搬型電源装置を充電するような場合に、充電用アダプタ（充電器）を用いて１台の可搬型電源装置毎に充電していると、１台の可搬型電源装置の充電が完了する毎に、充電用アダプタを他の可搬型電源装置に付け替えて充電する必要があり、その充電用アダプタの付け替え作業が面倒になるという問題がある。また、複数の充電用アダプタを用いる場合であっても、屋内に配置されているコンセントの設置数は決められているため、多数のコンセントが可搬型電源装置の充電のために占有されてしまうという問題があるばかりか、充電中には、可搬型電源装置の設置場所が定まらず、多数の可搬型電源装置が煩雑に設置されてしまうという問題がある。
【０００５】
本発明は、このような問題点に着目してなされたもので、充電中の可搬型電源装置の設置場所を定めることができ、多数の可搬型電源装置の充電を容易に行うことができる可搬型電源装置の収納庫を提供することを目的とする。
【課題を解決するための手段】
【０００６】
前記課題を解決するために、本発明の請求項１に記載の可搬型電源装置の収納庫は、
外部から直流電流を入力可能な充電コネクタと、該充電コネクタから入力された直流電流が充電される二次電池と、該二次電池から出力された直流電流を交流電流に変換するインバータと、該インバータから出力された交流電流を外部機器に出力可能な出力コネクタと、前記充電コネクタと前記二次電池と前記インバータと前記出力コネクタとを一体的に収めた筐体と、を備える可搬型電源装置を収納する収納庫であって、
前記収納庫には、複数の前記電源装置を収納する収納部と、外部から入力された交流電流を直流電流に変換する複数の充電器と、前記各電源装置の充電コネクタに前記各充電器にて変換された直流電流を入力可能な複数の接続コネクタと、前記充電コネクタが前記接続コネクタに接続されるように前記電源装置を案内する案内手段と、を有し、
前記複数の充電器は、該各充電器に対応して接続された各電源装置の充電を行うようになっていることを特徴としている。
この特徴によれば、案内手段により電源装置が案内されて充電コネクタが接続コネクタに接続され、電源装置の充電が行えるようになるばかりか、充電器の付け替え作業等を行う必要がなく、多数の電源装置であっても、収納庫の収納部に収納しておくだけで充電が行えるようになり、かつ複数の充電器で複数の電源装置を同時に充電するため、短い時間で全ての電源装置の充電を完了させることができ、充電中は可搬型電源装置が収納庫の収納部に収納されるため、多数の可搬型電源装置が煩雑に設置されることも防止される。
【０００７】
本発明の請求項２に記載の可搬型電源装置の収納庫は、
外部から直流電流を入力可能な充電コネクタと、該充電コネクタから入力された直流電流が充電される二次電池と、該二次電池から出力された直流電流を交流電流に変換するインバータと、該インバータから出力された交流電流を外部機器に出力可能な出力コネクタと、前記充電コネクタと前記二次電池と前記インバータと前記出力コネクタとを一体的に収めた筐体と、を備える可搬型電源装置を収納する収納庫であって、
前記収納庫には、複数の前記電源装置を収納する収納部と、外部から入力された交流電流を直流電流に変換する充電器と、前記各電源装置の充電コネクタに前記充電器にて変換された直流電流を入力可能な複数の接続コネクタと、前記充電コネクタが前記接続コネクタに接続されるように前記電源装置を案内する案内手段と、前記各接続コネクタと前記充電器との接続状態を制御する接続制御手段と、を有し、
前記接続制御手段は、前記充電器の接続状態を少なくとも１つの接続コネクタ毎に切り換えるようになっており、前記充電器は、少なくとも１つの電源装置の充電を完了した後に、他の電源装置の充電を開始することを特徴としている。
この特徴によれば、案内手段により電源装置が案内されて充電コネクタが接続コネクタに接続され、電源装置の充電が行えるようになるばかりか、接続制御手段が各接続コネクタと充電器との接続状態を制御するため、充電器の付け替え作業等を行う必要がなく、多数の電源装置であっても、収納庫の収納部に収納しておくだけで充電が行えるようになり、かつ少なくとも１つの充電器を用いて可搬型電源装置の収納庫を製造できるため、収納庫の製造コストを低減でき、充電中は可搬型電源装置が収納庫の収納部に収納されるため、多数の可搬型電源装置が煩雑に設置されることも防止される。
【０００８】
本発明の請求項３に記載の可搬型電源装置の収納庫は、請求項２に記載の可搬型電源装置の収納庫であって、
前記複数の電源装置の電力容量を検知する容量検知手段を備え、
前記接続制御手段は、前記容量検知手段からの検知情報に基づいて、充電が完了していない電源装置の内、電力容量が最も多い電源装置から順に充電を開始することを特徴としている。
この特徴によれば、残っている電力容量の多くて直ぐに充電が完了できる電源装置から先に充電を完了して、より多くの使用できる電源装置を収納庫に待機させておくことができる。
【０００９】
本発明の請求項４に記載の可搬型電源装置の収納庫は、請求項１ないし３のいずれかに記載の可搬型電源装置の収納庫であって、
前記電源装置は、前記二次電池を前記充電コネクタまたは前記インバータのいずれか一方に切り換えて接続する切換接続手段と、該電源装置が前記収納部から取り出されたときに、前記切換接続手段を切り換えて前記二次電池を前記出力コネクタ側に接続する出力切換手段と、を備えることを特徴としている。
この特徴によれば、収納庫の収納部から電源装置が取り出されたときに、電源装置の出力コネクタから電力が出力できるようになり、使用者が電源装置の起動操作等を行う必要がなくなり、電源装置が使い易くなる。
【００１０】
本発明の請求項５に記載の可搬型電源装置の収納庫は、請求項１ないし４のいずれかに記載の可搬型電源装置の収納庫であって、
前記電源装置は、前記二次電池の電力容量を検知して表示する容量表示部と、前記電源装置が前記収納部に収納されたときに、前記容量表示部を作動させる収納時表示スイッチと、を備えることを特徴としている。
この特徴によれば、収納庫の収納部に電源装置が収納されたときに、電源装置の容量表示部が作動されるようになり、使用者が収納された電源装置の充電が完了したか否かの確認をし易くなる。
【００１１】
本発明の請求項６に記載の可搬型電源装置の収納庫は、請求項１ないし５のいずれかに記載の可搬型電源装置の収納庫であって、
前記接続コネクタに向かって傾斜する棚板を有しており、該棚板に載置された電源装置が前記接続コネクタに向かって摺動移動されて前記充電コネクタが前記接続コネクタに接続されるようになっていることを特徴としている。
この特徴によれば、棚板に電源装置を載せるだけで電源装置が摺動移動され、電源装置の充電コネクタが収納庫の接続コネクタに接続されるようになり、使用者が電源装置の充電コネクタと、収納庫の接続コネクタとの接続作業を容易に行うことができる。
【発明を実施するための最良の形態】
【００１２】
本発明に係る可搬型電源装置の収納庫を実施するための最良の形態を実施例に基づいて以下に説明する。
【実施例１】
【００１３】
本発明の実施例を図面に基づいて説明すると、先ず図１は、実施例１におけるハンディ電源が収納された充電ステーションを示す斜視図であり、図２は、ハンディ電源を収納する際の充電ステーションを示す縦断側面図であり、図３は、図２における充電ステーションを示すＡ−Ａ断面図であり、図４は、ハンディ電源を正面側から見た状態を示す斜視図であり、図５は、ハンディ電源を背面側から見た状態を示す斜視図であり、図６は、ハンディ電源の構成を示す回路図であり、図７は、充電ステーションの構成を示す回路図であり、図８は、ハンディ電源の出力切換器を示す斜視図であり、図９は、出力切換器の構成を示す回路図である。以下、図２の紙面右方側をハンディ電源及び充電ステーションの正面側（前方側）として説明する。
【００１４】
図１の符号１は、本発明の適用された収納庫としての充電ステーション１であり、この充電ステーション１には、本実施例における可搬型電源装置としての複数のハンディ電源２が収納されている。この充電ステーション１及びハンディ電源２は、主にオフィス等において使用されるものであり、充電ステーション１をオフィスに設置しておき、この充電ステーション１にて充電されたハンディ電源２を、使用者が任意の場所まで持ち上げて移動させ、オフィス等で使用する様々な電子機器に対して電力を供給する電源装置として使用できるようになっている。
【００１５】
図１に示すように、充電ステーション１には、上下２段の棚板３が配置された収納部４が形成されており、それぞれの棚板３の上面には、ハンディ電源２が収納される際に、ハンディ電源２を案内する本実施例における案内手段としてのガイドレール５が設けられている。尚、このガイドレール５は正面視で上方が開口された略コ時形状に形成されており、その長手方向が棚板３の上面において前後方向を向くように配置されている（図２及び図３参照）。
【００１６】
また、棚板３は、収納部４内部の奥面板６に向かって下がるように傾斜されており、ガイドレール５上に載置されたハンディ電源２が、奥面板６に向かって摺動移動されるようになっている。更に、充電ステーション１の背面側から電源ケーブル７が延設されており、この電源ケーブル７を室内の壁面などに設置されたコンセント（図示略）に差し込んで使用するようになっている。
【００１７】
図２に示すように、電源ケーブル７から供給される電力は、充電ステーション１内部の分電器８を介して、充電ステーション１内部に設けられた複数の充電器９に供給されている。複数の充電器９は、収納部４の奥面板６の背面側に配置されている。
【００１８】
図３に示すように、収納部４の奥面板６の正面側には、充電器９の接続コネクタ１０が突出されている。この接続コネクタ１０は収納部４に収納されるハンディ電源２の配置位置に対応して設けられている。また、ガイドレール５も接続コネクタ１０の設置位置、つまりハンディ電源２の配置位置に対応して設けられている。更に、奥面板６における接続コネクタ１０の近傍には、３つの凸部１１が突設されている。
【００１９】
図７に示すように、充電ステーション１には、収納部４に収納されるハンディ電源２の収納個数と同じ個数の充電器９が設けられているとともに、接続コネクタ１０の個数も収納部４に収納されるハンディ電源２の収納個数と同じになっている。充電器９は、接続コネクタ１０を介して電源ケーブル７を介して入力された交流電流を直流電流に変換してハンディ電源２に供給するようになっており、複数の充電器９は、各充電器９に対応して接続された各ハンディ電源２の充電を行うようになっている。
【００２０】
図４及び図５に示すように、ハンディ電源２は、略箱体形状をなす筐体１２を有し、この筐体１２の正面１３には、側面視で略コ字形状をなす把持部１５が取り付けられている。ハンディ電源２は小型で軽量に製作されており、使用者は把持部１５を把持してハンディ電源２を任意の場所まで持ち上げて移動させることができる。
【００２１】
ハンディ電源２の正面１３には、電気機器（外部機器）から延設された差込プラグＰを接続できる４つの出力コネクタ１６が設けられている。本実施例では、出力コネクタ１６から電圧が１００Ｖ、電力が８０Ｗ以下、周波数が５５Ｈｚの交流電流が出力される。また、ハンディ電源２の正面１３には、ＵＳＢコネクタＵを接続できる４つのＵＳＢポート１７が設けられている。本実施例では、ＵＳＢポート１７から電圧が５Ｖの直流電流が出力される。更に、ハンディ電源２の正面１３には、電子的にその表面の表示状態を書き換えることができる電子ペーパにて製作された電子ペーパ表示部１８が設けられている。この電子ペーパ表示部１８には、ハンディ電源２の電力容量の状態が表示される。
【００２２】
ハンディ電源２の背面１４には、充電ステーション１の奥面板６に配置された接続コネクタ１０に接続される充電コネクタ１９が設けられている。ハンディ電源２の背面１４における充電コネクタ１９の近傍には、充電スイッチ２０と収納時表示スイッチ２１と電源スイッチ２２とが設けられている。これらのスイッチ２０，２１，２２は、ハンディ電源２が充電ステーション１に収納された際に、奥面板６に突設された３つの凸部１１によって押圧されるようになっている。尚、充電コネクタ１９やスイッチ２０，２１，２２は、ハンディ電源２の背面１４に凹設されている。そのため使用者がハンディ電源２の背面１４を机の天板等に当接させた状態で配置する場合でも、スイッチ２０，２１，２２が誤って押圧されずに済むようになっている。
【００２３】
図３に示すように、ハンディ電源２は、前述した充電ステーション１の棚板３の上面に設けられたガイドレール５によって案内される際に、ガイドレール５に当接する平坦面２３が設けられている。また、ハンディ電源２における平坦面２３の反対側の面は、略蒲鉾形状となっている湾曲面２４が設けられている。筐体１２に湾曲面２４が設けられることで、ハンディ電源２を充電ステーション１に収納する際に、使用者がハンディ電源２の上下の向きを逆にして収納してしまうことを防止できるようになっている。
【００２４】
次に、図６を参照してハンディ電源２の筐体１２の内部に配置される電気回路について説明する。ハンディ電源２には、電力を蓄える二次電池２５が設けられている。本実施例では、充電式ニッケル水素電池が用いられている。二次電池２５には、前述した充電ステーション１の充電器９から入力される直流電流が充電されるようになっている。
【００２５】
また、ハンディ電源２には、前述した出力コネクタ１６やＵＳＢポート１７に接続されたインバータ部２６が設けられている。尚、本実施例のインバータ部２６は、入力された直流電流を所定電圧の交流電流に逆変換して出力コネクタ１６から出力するためのＤＣ−ＡＣインバータ回路を有するとともに、入力された直流電流を所定電圧の直流電流に変換してＵＳＢポート１７から出力するためのＤＣ−ＤＣコンバータ回路を有している。
【００２６】
更に、ハンディ電源２には、二次電池２５を充電コネクタ１９またはインバータ部２６のいずれか一方に切り換えて接続する本実施例における切換接続手段としての切換接続スイッチ２７が設けられている。切換接続スイッチ２７は、リレースイッチ２８によってＯＮ／ＯＦＦ状態が切り換えられるようになっており、切換接続スイッチ２７がＯＮ状態（使用状態）にあるときには、二次電池２５とインバータ部２６とが接続されるとともに、切換接続スイッチ２７がＯＦＦ状態（充電状態）にあるときには、二次電池２５と充電コネクタ１９とが接続されるようになっている。
【００２７】
リレースイッチ２８には、前述した充電スイッチ２０が接続されている。ハンディ電源２が充電ステーション１に収納されると、充電スイッチ２０が押圧されてリレースイッチ２８に対する電力供給が停止され、リレースイッチ２８が切り換わって切換接続スイッチ２７がＯＦＦ状態（充電状態）になる。そして、充電コネクタ１９を介して二次電池２５に電力が供給されて充電されるようになる。
【００２８】
また、リレースイッチ２８には、前述した電源スイッチ２２を有する本実施例における出力切換手段としての電源スイッチ回路２９が接続されている。電源スイッチ回路２９は、電源スイッチ２２が一旦押圧されて再び電源スイッチ２２の押圧が解除されると、リレースイッチ２８に対して電力が供給され、リレースイッチ２８が切り換わって切換接続スイッチ２７がＯＮ状態（使用状態）になる。すなわちハンディ電源２が充電ステーション１から取り出されると、自動的に二次電池２５からインバータ部２６に電力が供給されて出力コネクタ１６及びＵＳＢポート１７が使用可能になる。
【００２９】
更に、リレースイッチ２８には、本実施例における充電切換手段としてのトランジスタ回路３０が接続されている。このトランジスタ回路３０には、インバータ部２６から出力コネクタ１６に出力される交流電流の一部が、ＡＣ−ＤＣアダプタ３１を介して直流電流に変換されて入力されるようになっている。
【００３０】
インバータ部２６から電力が出力中には、ＡＣ−ＤＣアダプタ３１を介してトランジスタ回路３０に電力が供給されており、トランジスタ回路３０に電力が供給されている状態では、トランジスタ回路３０内を電流が流れてリレースイッチ２８をＯＮ状態、つまり切換接続スイッチ２７をＯＮ状態（使用状態）に切り換えるようにしている。
【００３１】
また、インバータ部２６から出力コネクタ１６に出力される出力値が予め定められた値よりも低下したとき、または停止されたときには、ＡＣ−ＤＣアダプタ３１を介してトランジスタ回路３０に供給される電力が停止され、トランジスタ回路３０内を電流が流れないようになり、トランジスタ回路３０がリレースイッチ２８をＯＦＦ状態、つまり切換接続スイッチ２７をＯＦＦ状態（充電状態）に切り換えるようにしている。
【００３２】
従来、二次電池２５の電力容量が低下してインバータ部２６に供給される電力が低下すると、インバータ部２６の交流電流の出力が停止される。そして、インバータ部２６の交流電流の出力が停止されると、二次電池２５は負荷が無くなり、二次電池２５は電力容量が自然回復する。そして、二次電池２５が自然回復すると、インバータ部２６に供給される電力容量が再び上昇し、インバータ部２６は再び交流電流を出力するようになる。切換接続スイッチ２７のＯＮ状態が維持される場合では、このようなインバータ部２６の交流電流の出力と停止を繰り返すチャタリング現象が生じる虞がある。しかしながら本実施例におけるハンディ電源２は、充電切換手段としてのトランジスタ回路３０を備えることで、一旦インバータ部２６の交流電流の出力が停止されると、切換接続スイッチ２７をＯＦＦ状態（充電状態）に切り換わり、二次電池２５が自然回復しても、二次電池２５からインバータ部２６に電力が供給されることがないので、チャタリング現象を防止することができる。
【００３３】
図７に示すように、ハンディ電源２には、前述した電子ペーパ表示部１８を有する本実施例における容量表示部としての電池容量表示回路３２が設けられている。この電池容量表示回路３２は、二次電池２５に接続されているとともに、二次電池２５の電力容量を検知する電力容量検知センサを有している。
【００３４】
尚、電池容量表示回路３２は、収納時表示スイッチ２１が押圧されたとき、すなわちハンディ電源２が充電ステーション１に収納されたときには、常に、二次電池２５の電力容量を検知するようになっている。このとき電池容量表示回路３２は、二次電池２５の電力容量が満充電以下の場合には、電子ペーパ表示部１８に「充電中」の文字を表示させ、二次電池２５の電力容量が満充電以上の場合には、電子ペーパ表示部１８に「充電完了」の文字を表示させる。
【００３５】
更に尚、電池容量表示回路３２は、収納時表示スイッチ２１が押圧されていないとき、すなわちハンディ電源２が充電ステーション１から取り出されたときには、二次電池２５の電力容量の検知を行わずに切換接続スイッチ２７の切換動作に基づいて、電子ペーパ表示部１８に「使用中」または「空」の文字を表示させる。詳しくは、切換接続スイッチ２７がインバータ部２６に接続されると電子ペーパ表示部１８に「使用中」の文字を表示させ、切換接続スイッチ２７が充電コネクタ１９に接続されると電子ペーパ表示部１８に「空」の文字を表示させる。
【００３６】
電子ペーパについて説明すると、電子ペーパは、その表面の表示状態の書き換える時のみに電力を使用し、電力が供給されない状態であっても、その表面の表示状態を維持できるようになっている。すなわち電子ペーパにて製作された電子ペーパ表示部１８には、その表面の表示状態の書き換える時のみに電力を供給すればよく、かつ電池容量表示回路３２は、ハンディ電源２が充電ステーション１に収納されたときのみ、二次電池２５の電力容量の検知を行うようになっているため、電池容量表示回路３２の消費電力を抑えることができる。
【００３７】
尚、本実施例では、電子ペーパを用いて表示部１８を製作しているが、この表示部１８をＬＥＤランプ等で製作してもよく、ＬＥＤランプで表示部１８を製作した場合には、ハンディ電源２が充電ステーション１に収納されたときのみ、表示部１８を点灯させるようにすれば、ＬＥＤランプによる消費電力を抑えることができる。
【００３８】
本実施例のハンディ電源２は、充電ステーション１に収納されると自動的に二次電池２５の充電を開始するようになっているとともに、充電中のハンディ電源２の電子ペーパ表示部１８には、「充電中」の文字が表示される。充電が完了すると、電子ペーパ表示部１８には、「充電完了」の文字が表示されるため、使用者は、充電ステーション１に収納されたハンディ電源２の内、どのハンディ電源２が使用可能なのか把握し易くなっている。
【００３９】
また、ハンディ電源２が充電ステーション１から取り出されると、切換接続スイッチ２７が自動的にインバータ部２６側に切り換わり、出力コネクタ１６から交流電流が出力可能になるとともに、電子ペーパ表示部１８には、「使用中」の文字が表示される。使用者は「使用中」の文字が表示されたハンディ電源２の出力コネクタ１６に電気機器の差込プラグＰを差し込めば、電気機器に対して交流電流を供給することができる。
【００４０】
更に、二次電池２５の電力容量が低下して、出力コネクタ１６から出力される出力値が予め定められた値よりも低下したとき、または停止されたときには、自動的に切換接続スイッチ２７が二次電池２５を充電コネクタ１９に接続されて出力コネクタ１６からの出力が停止されるとともに、電子ペーパ表示部１８には、「空」の文字が表示されるため、使用者がハンディ電源２の充電が必要であることを把握し易くなっている。
【００４１】
また、一般的な電気機器（外部機器）は、交流電流の供給によって作動させることができ、ハンディ電源２が様々な電気機器が使用する交流電流を出力することで、接続対象となる電気機器を特定しない多目的な電源供給装置として使用することができるばかりか、把持部１５を把持してハンディ電源２を持ち上げて移動させることができるため、使用者が使用したい任意の場所にハンディ電源２を持ち運ぶことが容易にできるようになっている。
【００４２】
更に、二次電池２５に対する充電と出力コネクタ１６からの電力出力が同時に行われることがなく、二次電池２５の充電中には、出力コネクタ１６からの電力出力ができなくなり、ハンディ電源２の充電と電力出力を同時に行うことを防止するようになっている。
【００４３】
以上、本実施例における可搬型電源装置の収納庫としての充電ステーション１では、複数のハンディ電源２を収納する収納部４と、外部から入力された交流電流を直流電流に変換する複数の充電器９と、各ハンディ電源２の充電コネクタ１９に各充電器９にて変換された直流電流を入力可能な複数の接続コネクタ１０と、充電コネクタ１９が接続コネクタ１０に接続されるようにハンディ電源２を案内するガイドレール５と、を有し、複数の充電器９は、各充電器９に対応して接続された各ハンディ電源２の充電を行うようになっていることで、ガイドレール５によりハンディ電源２が案内されて充電コネクタ１９が接続コネクタ１０に接続され、ハンディ電源２の充電が行えるようになるばかりか、充電器９の付け替え作業等を行う必要がなく、多数のハンディ電源２であっても、充電ステーション１の収納部４に収納しておくだけで充電が行えるようになり、かつ複数の充電器９で複数のハンディ電源２を同時に充電するため、短い時間で全てのハンディ電源２の充電を完了させることができ、充電中はハンディ電源２が充電ステーション１の収納部４に収納されるため、多数のハンディ電源２が煩雑に設置されることも防止される。
【００４４】
また、ハンディ電源２は、二次電池２５を充電コネクタ１９またはインバータ部２６のいずれか一方に切り換えて接続する切換接続スイッチ２７と、ハンディ電源２が収納部４から取り出されたときに、切換接続スイッチ２７を切り換えて二次電池２５を出力コネクタ１６側に接続する電源スイッチ回路と、を備えることで、充電ステーション１の収納部４からハンディ電源２が取り出されたときに、ハンディ電源２の出力コネクタ１６から電力が出力できるようになり、使用者がハンディ電源２の起動操作等を行う必要がなくなり、ハンディ電源２が使い易くなる。
【００４５】
また、ハンディ電源２は、二次電池２５の電力容量を検知して表示する電子ペーパ表示部１８を有する電池容量表示回路３２と、ハンディ電源２が収納部４に収納されたときに、電池容量表示回路３２を作動させる収納時表示スイッチ２１と、を備えることで、充電ステーション１の収納部４にハンディ電源２が収納されたときに、ハンディ電源２の電池容量表示回路３２が作動されるようになり、使用者が収納されたハンディ電源２の充電が完了したか否かの確認をし易くなる。
【００４６】
また、充電ステーション１は、接続コネクタ１０に向かって傾斜する棚板３を有しており、棚板３に載置されたハンディ電源２が接続コネクタ１０に向かって摺動移動されて充電コネクタ１９が接続コネクタ１０に接続されるようになっていることで、棚板３にハンディ電源２を載せるだけでハンディ電源２が摺動移動され、ハンディ電源２の充電コネクタ１９が充電ステーション１の接続コネクタ１０に接続されるようになり、使用者がハンディ電源２の充電コネクタ１９と、充電ステーション１の接続コネクタ１０との接続作業を容易に行うことができる。
【実施例２】
【００４７】
次に、実施例２に係る可搬型電源装置の収納庫につき、図８及び図９を参照して説明する。尚、前記実施例に示される構成部分と同一構成部分に付いては同一符号を付して重複する説明を省略する。図８は、実施例２における充電ステーションの構成を示す回路図である。図９は、マイコン制御部で行われる切換分電部の制御処理のフローチャートである。
【００４８】
図８に示すように、実施例２における収納庫としての充電ステーション１ａには、複数の接続コネクタ１０が設けられており、それぞれの接続コネクタ１０に対応して複数のハンディ電源２が接続されるようになっている。尚、実施例２の充電ステーション１ａの外部構成は、実施例１の充電ステーション１ａと同様のものとなっている（図１及び図３参照）。
【００４９】
また、実施例２における充電ステーション１ａには、１つの充電器９が設けられており、この充電器９は切換分電部５１を介して各接続コネクタ１０に接続される。充電器９は、電源ケーブル７を介して入力された交流電流を直流電流に変換し、切換分電部５１を介して接続コネクタ１０からハンディ電源２に供給するようになっている。
【００５０】
また、切換分電部５１は、充電器９と接続コネクタ１０との接続状態を１つの接続コネクタ毎に切り換えるようになっており、充電器９と接続コネクタ１０との接続状態は、充電ステーション１ａに設けられたマイコン制御部５２により制御されるようになっている。尚、切換分電部５１とマイコン制御部５２とで本実施例における接続制御手段を構成している。
【００５１】
更に、切換分電部５１について詳述すると、切換分電部５１には、接続コネクタ１０に対応して設けられた切換接続リレースイッチ５３が設けられており、各切換接続リレースイッチ５３のＯＮ／ＯＦＦ状態は、マイコン制御部５２により制御されている。切換接続リレースイッチ５３がＯＮ状態になると、該切換接続リレースイッチ５３に対応して設けられた接続コネクタ１０と充電器９とが接続されるようになっている。
【００５２】
また、マイコン制御部５２は、各接続コネクタ１０に接続されており、各接続コネクタ１０を介して各ハンディ電源２の電力容量を検知する電力容量検知センサを有している。このマイコン制御部５２は、各接続コネクタ１０に対するハンディ電源２の接続状態や各ハンディ電源２の充電状態を把握できるようになっている。尚、マイコン制御部５２が本実施例における容量検知手段を構成している。
【００５３】
次に、本実施例におけるマイコン制御部５２が実行する切換分電部５１の制御処理を図９のフローチャートに基づいて以下に説明する。
【００５４】
図９に示すように、切換分電部５１の制御処理では、先ず、Ｓａ０１のステップにおいて、マイコン制御部５２は、電力容量検知センサからの検知情報と各切換接続リレースイッチ５３のＯＮ／ＯＦＦ状態とに基づいて、各接続コネクタ１０に接続されたハンディ電源２の内、所定のハンディ電源２が充電器９によって充電中であるか否かを判定する。そして、充電中のハンディ電源２が無ければＳａ０３のステップに進み、充電中のハンディ電源２があればＳａ０２のステップに進む。
【００５５】
Ｓａ０２のステップにおいて、マイコン制御部５２は、充電中のハンディ電源２が満充電の電力容量以上になったか否かを判定する。そして、充電中のハンディ電源２が満充電の電力容量以下ならば切換分電部５１の制御処理を終了してＳａ０１のステップに戻る。充電中のハンディ電源２が満充電の電力容量以上ならば、該ハンディ電源２に対応した切換分電部５１における切換接続リレースイッチ５３をＯＦＦ状態にして該ハンディ電源２の充電を停止し、Ｓａ０３のステップに進む。
【００５６】
Ｓａ０３のステップにおいて、マイコン制御部５２は、電力容量検知センサを用いて各接続コネクタ１０に接続された各ハンディ電源２を走査し、各ハンディ電源２の電力容量を把握するハンディ電源２の走査処理を行う。そして、Ｓａ０４のステップに進む。
【００５７】
Ｓａ０４のステップにおいて、前記走査処理にて走査した各ハンディ電源２の内、満充電の電力容量以下のハンディ電源２があるか否かを判定する。そして、満充電の電力容量以下のハンディ電源２が無ければ切換分電部５１の制御処理を終了してＳａ０１のステップに戻る。満充電の電力容量以下のハンディ電源２があればＳａ０５のステップに進む。
【００５８】
Ｓａ０５のステップにおいて、満充電の電力容量以下のハンディ電源２の内、残り電力容量が最も多いハンディ電源２に対応した切換分電部５１における切換接続リレースイッチ５３をＯＮ状態にして該ハンディ電源２の充電を開始し、切換分電部５１の制御処理を終了してＳａ０１のステップに戻る。
【００５９】
以上、実施例２における可搬型電源装置の収納庫としての充電ステーション１ａでは、外部から入力された交流電流を直流電流に変換する充電器９と、各ハンディ電源２に充電器９にて変換された直流電流を入力可能な複数の接続コネクタ１０と、各接続コネクタ１０と充電器９との接続状態を制御するマイコン制御部５２と、を有し、マイコン制御部５２は、充電器９の接続状態を少なくとも１つの接続コネクタ１０毎に切り換えるようになっており、充電器９は、少なくとも１つのハンディ電源２の充電を完了した後に、他のハンディ電源２の充電を開始することで、マイコン制御部５２が各接続コネクタ１０と充電器９との接続状態を制御するため、充電器９の付け替え作業等を行う必要がなく、多数のハンディ電源２であっても、充電ステーション１ａに収納しておくだけで充電が行えるようになり、かつ少なくとも１つの充電器９を用いて充電ステーション１ａを製造できるため、充電ステーション１ａの製造コストを低減できる。
【００６０】
また、複数のハンディ電源２の電力容量を検知する電力容量検知センサを有するマイコン制御部５２を備え、このマイコン制御部５２は、電力容量検知センサからの検知情報に基づいて、充電が完了していないハンディ電源２の内、電力容量が最も多いハンディ電源２から順に充電を開始することで、残っている電力容量の多くて直ぐに充電が完了できるハンディ電源２から先に充電を完了して、より多くの使用できるハンディ電源２を充電ステーション１ａに待機させておくことができる。
【００６１】
以上、本発明の実施例を図面により説明してきたが、具体的な構成はこれら実施例に限られるものではなく、本発明の要旨を逸脱しない範囲における変更や追加があっても本発明に含まれる。
【００６２】
例えば、前記実施例では、ハンディ電源２の筐体１２の正面１３に側面視で略コ字形状をなす把持部１５が取り付けられているが、把持部１５は筐体１２に一体的に形成されていてもよいし、筐体の一部の形状を使用者が把持し易い形状にして、該筐体の一部を把持部としてもよい。
【００６３】
また、前記実施例のハンディ電源２に、二次電池２５の過充電を防止したり、充電中に二次電池２５が高温になったことを温度センサにより検知し、該検知に基づいて自動的に充電を停止したりする安全装置を設けるようにしてもよいし、充電ステーション１にハンディ電源２の二次電池２５の状態を検知する検知回路を設けて、二次電池２５の過充電を防止したり、充電中に二次電池２５が高温になったときに自動的に充電を停止したりしてもよい。
【図面の簡単な説明】
【００６４】
【図１】実施例１におけるハンディ電源が収納された充電ステーションを示す斜視図である。
【図２】ハンディ電源を収納する際の充電ステーションを示す縦断側面図である。
【図３】図２における充電ステーションを示すＡ−Ａ断面図である。
【図４】ハンディ電源を正面側から見た状態を示す斜視図である。
【図５】ハンディ電源を背面側から見た状態を示す斜視図である。
【図６】ハンディ電源の構成を示す回路図である。
【図７】充電ステーションの構成を示す回路図である。
【図８】実施例２における充電ステーションの構成を示す回路図である。
【図９】マイコン制御部で行われる切換分電部の制御処理のフローチャートである。
【符号の説明】
【００６５】
１，１ａ          充電ステーション（収納庫）
２                ハンディ電源（可搬型電源装置）
２ａ              ハンディ電源（可搬型電源装置）
３                棚板
４                収納部
５                ガイドレール（案内手段）
９                充電器
１０              接続コネクタ
１２              筐体
１５              把持部
１６              出力コネクタ
１８              電子ペーパ表示部
１９              充電コネクタ
２０              充電スイッチ
２１              収納時表示スイッチ
２２              電源スイッチ
２５              二次電池
２６              インバータ部
２７              切換接続スイッチ（切換接続手段）
２９              電源スイッチ回路（出力切換手段）
３０              トランジスタ回路（充電切換手段）
３２              電池容量表示回路（容量表示部）
５１              切換分電部（接続制御手段）
５２              マイコン制御部（接続制御手段，容量検知手段）
５３              切換接続リレースイッチ
【図１】
2009201276.tif 000003
【図２】
2009201276.tif 000004
【図３】
2009201276.tif 000005
【図４】
2009201276.tif 000006
【図５】
2009201276.tif 000007
【図６】
2009201276.tif 000008
【図７】
2009201276.tif 000009
【図８】
2009201276.tif 000010
【図９】
2009201276.tif 000011